(57)【特許請求の範囲】
【請求項１】
既存の建物において電磁シールド室を構築する対象室から、内装仕上材及び内装仕上材以降の工程で配置される設備機器を撤去し、その状態において、天井及び壁の仕上用下地及び床スラブに可撓性を有する電磁シールド材を敷設して電磁シールド層を形成すると共に、天井内、壁内及び床内の設備に対して前記電磁シールド材により電磁シールド処理を行い、この際、天井の設備機器を支持する吊ボルトの部分では、電磁シールド材に切込を形成して吊ボルトを通した後、その切込部分を吊ボルトに沿った上側又は下側に纏めて、この状態で接着テープや結束線を巻き付けることにより、電磁シールド材を吊ボルトに固定し、以上の処理を行った後、内装仕上材及び内装仕上材以降の工程で配置される設備機器を設置することを特徴とするリニューアルによる対象室の電磁シールド工法。
【請求項２】
既存の建物において電磁シールド室を構築する対象室から、内装仕上材及び内装仕上材以降の工程で配置される設備機器を撤去し、その状態において、天井及び壁の仕上用下地に可撓性を有する電磁シールド材を敷設し、床スラブ上に導電性板体を載置して電磁シールド層を形成すると共に、天井内及び壁内の設備に対して前記電磁シールド材により電磁シールド処理を行い、この際、天井の設備機器を支持する吊ボルトの部分では、電磁シールド材に切込を形成して吊ボルトを通した後、その切込部分を吊ボルトに沿った上側又は下側に纏めて、この状態で接着テープや結束線を巻き付けることにより、電磁シールド材を吊ボルトに固定し、以上の処理を行った後、内装仕上材及び内装仕上材以降の工程で配置される設備機器を設置することを特徴とするリニューアルによる対象室の電磁シールド工法。
【発明の詳細な説明】
【技術分野】
【０００１】
本発明は電磁シールドが要求される電磁シールド室をリニューアルにおいて構築するための電磁シールド工法に関するものである。
【背景技術】
【０００２】
例えば下記に示すような室では、夫々に応じたシールド性能の電磁シールドが要求されている。この場合、シールド性能のレベルとしては、例えば９０ｄＢ以上の高レベル、７０ｄＢ程度の中レベル、４０ｄＢ以下の簡易レベルがある。
・オフィス等の汎用施設で、情報システムへの電磁波外乱を防止したい室
・オフィス等の汎用施設で、情報システムからの意図しない電磁波放射による情報漏洩を防止したい室
・医療施設の手術室等のように、電気メス等の医療機器が発生する電磁波輻射による周囲への影響を防止したい室
・医療施設の治療室や検査室等のように、心電図、筋電図、脳波計等の医療機器への電磁波外乱を防止したい室
・医療施設や劇場等のように、携帯式端末機器の使用を制限したい室
・実験や研究等のために電磁シールド性能を必要とする室
【０００３】
電磁シールド室を構築するための従来の工法として、躯体の内面に導電性を有する電磁シールド材を敷設して電磁シールド層を形成する方法がある。即ち、従来の工法では、天井部分、壁部分及び床部分には、例えば下記のようにして電磁シールド層を形成する。
Ａ：天井部分
・直天井の場合
（１）上階スラブ下がデッキプレート工法により形成されている場合には、デッキプレートに電磁シールド材を貼り付ける。
（２）上階スラブ下が従来工法により形成されている場合には、スラブ下に電磁シールド材を貼り付ける。
・二重天井の場合
上階スラブの下方に下地ボードを吊り、その下地ボードに電磁シールド材を貼り付け、更にその下に内装仕上材の天井を吊持する。
Ｂ：壁部分
下地ボード壁を立設して、それに電磁シールド材を貼り付け、その内側に内装仕上材の壁を立設する。
Ｃ：床部分
床スラブ上に電磁シールド材を敷設し、その上にＯＡ床やカーペットを施工する。
【０００４】
その他の従来の工法として、例えば特許文献１や特許文献２では、電磁シールド材として、板材に代えて常温金属溶射被膜を電磁シールド材としている。
【特許文献１】特開平４−９３４７９号公報
【特許文献２】特開２００４−４４３４１号公報
【発明の開示】
【発明が解決しようとする課題】
【０００５】
以上に説明した従来の電磁シールド工法を既存の建物に適用する場合、即ち、リニューアル工事において電磁シールド化を行う場合には、内装を、下地まで含めて全て撤去し、同様に設備も全て取り外すことが必須となる。
【０００６】
そのため次のような問題点がある。
（１）電磁シールド化が大規模工事となり、コスト及び工期が増大する。
（２）テナントビルのように、退去時に復旧する場合にも同様に大規模工事となり、実質的には非常に困難である。
（３）建築工事、設備工事及び電磁シールド工事が錯綜し、夫々の業者が同時に工事を行うこととなるため、工程調整が煩雑で、電磁シールド性能に対しての責任区分が不明確となる。
（４）設備材料・機器に加工が必要であり、テナント工事の場合には資産損傷の問題が発生する。
本発明は、以上の問題点を解決し、上述した簡易レベルのシールド性能を有する電磁シールド室をリニューアルにおいて容易に構築することを可能とした電磁シールド工法を提供することを課題とするものである。
【課題を解決するための手段】
【０００７】
上述した課題を解決するために、本発明では、既存の建物において電磁シールド室を構築する対象室から、内装仕上材及び内装仕上材以降の工程で配置される設備機器を撤去し、その状態において、天井及び壁の仕上用下地及び床スラブに可撓性を有する電磁シールド材を敷設して電磁シールド層を形成すると共に、天井内、壁内及び床内の設備に対して前記電磁シールド材により電磁シールド処理を行い、この際、天井の設備機器を支持する吊ボルトの部分では、電磁シールド材に切込を形成して吊ボルトを通した後、その切込部分を吊ボルトに沿った上側又は下側に纏めて、この状態で接着テープや結束線を巻き付けることにより、電磁シールド材を吊ボルトに固定し、以上の処理を行った後、内装仕上材及び内装仕上材以降の工程で配置される設備機器を設置することを特徴とするリニューアルによる対象室の電磁シールド工法を提案するものである。
【０００８】
また本発明では、既存の建物において電磁シールド室を構築する対象室から、内装仕上材及び内装仕上材以降の工程で配置される設備機器を撤去し、その状態において、天井及び壁の仕上用下地に可撓性を有する電磁シールド材を敷設し、床スラブ上に導電性板体を載置して電磁シールド層を形成すると共に、天井内及び壁内の設備に対して前記電磁シールド材により電磁シールド処理を行い、この際、天井の設備機器を支持する吊ボルトの部分では、電磁シールド材に切込を形成して吊ボルトを通した後、その切込部分を吊ボルトに沿った上側又は下側に纏めて、この状態で接着テープや結束線を巻き付けることにより、電磁シールド材を吊ボルトに固定し、以上の処理を行った後、内装仕上材及び内装仕上材以降の工程で配置される設備機器を設置することを特徴とするリニューアルによる対象室の電磁シールド工法を提案するものである。
【発明の効果】
【０００９】
本発明においては、可撓性を有する電磁シールド材を利用するため、対象室の内装仕上材及び内装仕上材以降の工程で配置される設備機器が設置される直前の状態において、天井及び壁の仕上用下地に、又はこれらに加えて床スラブに可撓性を有する電磁シールド材を敷設してシールド層を形成することができ、従って、既存の建物に適用する場合にも、内装仕上材及び内装仕上材以降の工程で配置される設備を撤去するだけで電磁シールド工事が可能である。
【００１０】
室の床部分においては、床スラブ上を平坦な状態とすることができる場合には、その上に可撓性を有する電磁シールド材に代えて鋼板等の導電性板体を載置して電磁シールドを行うことができる。
【００１１】
電磁シールド工事の後の内装仕上材及び内装仕上材以降の工程で配置される設備機器の設置は、電磁シールド工事とは関連しない一般建築設備工事として施工することが可能である。
【００１２】
このため、次のような効果がある。
（１）リニューアルにおいて、軽微な改修工事で、室の電磁シールド化が可能である。
（２）テナントビルのように、退去時に復旧する場合にも軽微な改修で対応が可能である。
（３）電磁シールド化の工事や退去時の復旧工事を短工期、低コストで行うことができる。
（４）電磁シールド工事を、建築工事や設備工事とは独立して行えるため、工程調整が容易で、責任区分が明確になる。
（５）設備材料・機器に加工が不要であり、テナント工事の場合にも資産損傷の問題が発生しない。
【発明を実施するための最良の形態】
【００１３】
次に本発明の最良の実施の形態を添付図面を参照して説明する。
まず、図１〜図３は本発明の工法を適用した天井部分の電磁シールド工事の流れの一例を示す説明図で、（ａ）は天井内側から下方を見た状態、（ｂ）は室内側から天井方向を見た状態の斜視図である。
図１は電磁シールド工事を行う直前の状態、即ち、天井の仕上用下地である天井下地材１ａと、天井内設備２の吊り込みが終了した状態を示すもので、この場合、天井内設備２は、天井カセット型空調機２ａと換気ユニット２ｂが示されている。符号３は吊ボルト、４は配線を示すものである。
【００１４】
次いで図２に示すように、天井下地材１ａの上側に可撓性を有する電磁シールド材５を敷設してシールド層を形成する。ここで、可撓性を有する電磁シールド材は、金属製網、金属製布、金属コーティングを施した金属製以外の網や布等とし、これらを、電磁シールド室に必要なシールド性能、作業性、耐久性、コスト、設備機器廻りに使用する場合における機器からの放熱性等を考慮し、適宜選択して用いることができる。尚、天井内設備２や吊ボルト３等の部分における電磁シールド材５の敷設の詳細については具体例につき後述する。
【００１５】
こうして天井における電磁シールド材５の敷設が終了したら、図３に示すように、内装仕上材としての天井仕上ボード６ａを天井下地材１ａに取り付けると共に、内装仕上材以降の工程で配置される設備機器７、図においては、照明器具７ａ、換気制気口７ｂ、火災報知用感知器７ｃ等を設置し、必要な配線４を接続して天井部分の工事を完了する。
【００１６】
以上の流れにおいて、図１の状態、即ち、電磁シールド工事を行う直前の状態は、リニューアル工事においては、図３の状態から、天井下地材１ａを残して天井仕上ボード６を撤去すると共に、照明器具７ａ，換気制気口７ｂ、感知器７ｃ、スピーカ（図示省略）等の、天井仕上ボード６ａに配置される設備機器を、それらの吊ボルト３や配線４等を除いて取り外した状態である。
【００１７】
次に図４は本発明の工法を適用した天井部分の電磁シールド工事の他の流れの例において、上述した例の図２の局面に対応するものであり、図２と同様に、（ａ）は天井内側から下方を見た状態、（ｂ）は室内側から天井方向を見た状態の斜視図である。
この例では、図１に示されるように天井の仕上用下地である天井下地材１ａと天井内設備２の吊り込みが終了した状態において、図４に示すように天井下地材１ａの下側に可撓性を有する電磁シールド材５を敷設してシールド層を形成する。この場合、電磁シールド材５は、天井下地材１ａの下側に当て、タッカー等で仮止めして敷設する。
【００１８】
次いで、上述した例の図３と同様に、内装仕上材としての天井仕上ボード６ａを天井下地材１ａに取り付けると共に、内装仕上材以降の工程で配置される設備機器７、図においては、照明器具７ａ、換気制気口７ｂ、火災報知用感知器７ｃ等を設置し、必要な配線４を接続して天井部分の工事を完了する。
【００１９】
次に、図５〜図７は本発明の工法を適用した壁部分の電磁シールド工事の一例の流れを示す説明図である。
図５は電磁シールド工事を行う直前の状態、即ち、壁の仕上用下地である軽量鉄骨組１ｂと、壁埋込設備８の取付が終了した状態を示すものである。この場合、壁埋込設備８としては、コンセントやスイッチ等の器具を取り付ける設備ボックス８ａと配線配管８ｂが示されている。尚、符号９は床スラブを示している。
【００２０】
次いで図６に示すように、軽量鉄骨組１ｂ上に可撓性を有する電磁シールド材５を敷設してシールド層を形成する。この場合、電磁シールド材５は、軽量鉄骨組１ｂの列において隣接のものを重ね、重ね目地１０としてタッカー等の固定部材で固定する。また電磁シールド材５の下縁は床スラブ９上に所定幅で突出させる。尚、設備ボックス８ａの部分における電磁シールド材５の敷設の詳細は、具体例につき後述する。
【００２１】
こうして壁部分における電磁シールド材５の敷設が終了したら、図７に示すように、内装仕上材としての壁仕上ボード６ｂを軽量鉄骨組１ｂに取り付けると共に、設備ボックス８ａの開口側における電磁シールド材５の処理（後述）を行った後、コンセント１１ａやスイッチ１１ｂ等の配線器具１１を配線配管８ｂからの配線４に接続して設備ボックス８ａに取り付け、次いでプレート１１ｃを取り付けて壁部分の電磁シールド工事を完了する。
【００２２】
次に図８〜図１２は本発明の工法を適用した床部分の電磁シールド工事の流れを示す説明図で、まず図８、図９は、ＯＡ床を有する室のリニューアル工事において、ＯＡ床の支持脚１２を撤去することが不可能な場合の電磁シールド工事の流れの一例を示すものである。図８は、上述したように壁部分の電磁シールド工事が終了した直後の状態を示すもので、壁部分に敷設した電磁シールド材５の下縁が床スラブ９上に所定幅で突出している。
【００２３】
この状態において、床スラブ９上に縦横に列設されている支持脚１２の列に沿って複数の電磁シールド材５を所定幅の重ね目地１０を形成しながら重ね合わせて敷設し、こうして電磁シールド終了後に支持脚１２上にＯＡ床（図示省略）を載置して、ＯＡ床を形成することができる。尚、支持脚１２の部分における電磁シールド材５の敷設の詳細は、具体例につき後述する。
【００２４】
次に図１０、図１１は、ＯＡ床を有する室のリニューアル工事において、ＯＡ床の支持脚１２を撤去することが可能な場合を示すもので、この場合には、図１０に示す様に、壁の電磁シールド工事を行うと共に床スラブ９からＯＡ床の支持脚１２を取り外し、この状態において図１１に示すように、床スラブ９上に鋼板等の導電性板体１３を載置して、この導電性板体１３を床部分の電磁シールド材とする。次いで、この導電性板体１３上に支持脚１２を施工して、ＯＡ床を形成することができる。
【００２５】
一方、図１２はＯＡ床に代えて、タイルカーペット１４による床を形成する場合の床部分の工事を示すもので、上述した図１０に示す状態において、床スラブ９上に複数の電磁シールド材５を所定幅の重ね目地１０を形成しながら重ね合わせて敷設し、こうして敷設した電磁シールド材５上にタイルカーペット１４を敷設して床部分を構成することができる。尚、符号１５は巾木を示すものである。また、このようにタイルカーペット１４により床部分を形成する場合には、電磁シールド材５は接着により床スラブ９上に固定する。
【００２６】
以上に説明した床部分の電磁シールド工事においては、その前の壁部分の電磁シールド工事において敷設した電磁シールド材５の下縁が床スラブ９上に所定の巾で突出しているので、床部分の電磁シールド工事において床スラブ９上に敷設した電磁シールド材５と重ね目地１０が形成され、シールド性能の低下を防止することができる。また天井部分の電磁シールド工事においても、電磁シールド材５の下縁を壁部分の仕上用下地、即ち、軽量鉄骨組１ｂ側に所定巾で突出させて、重ね目地を形成することにより、この部分のシールド性能の低下を防止することができる。
【００２７】
次に電磁シールド材５の敷設の詳細を具体例につき説明する。図１３〜図３７は天井内設備２や吊ボルト３等の部分における電磁シールド材５の敷設の詳細を示すもので、そのうち図１３〜図１６は天井カセット型空調機２ａの部分において、電磁シールド材５を天井カセット型空調機２ａの下部側面から敷設する工事の流れを示すものである。
【００２８】
図１３は、電磁シールド材を敷設する前の天井カセット型空調機２ａの部分を天井内から見た斜視図であり、図中符号１６は配管である。天井部分に敷設する電磁シールド材５は、これらの天井カセット型空調機２ａや配管１６部分において、隙間が生じる等のシールド性能低下の原因を生じないように敷設する必要がある。
【００２９】
そこでこの工事では、電磁シールド材５は、天井下地材１ａに敷設するものに加えて、図１４（ａ）に示すように天井カセット型空調機２ａの平面形状よりも大きな電磁シールド材５ａを準備し、これに天井カセット型空調機２ａの金属筐体の平面形状よりも小さな切欠部１７を形成すると共に、切欠部１７の隅に切込１８を形成する。尚、電磁シールド材５ａの提供される幅が必要とする幅よりも狭い場合には、図１４（ｂ）に示すように、半割の２枚の電磁シールド材５ａを重ね目地を形成するようにして用いることもできる。
【００３０】
次いで図１５に示すように電磁シールド材５ａを切欠部１７により天井カセット型空調機２ａの金属筐体の外側に嵌合する。切欠部１７は金属筐体の平面形状よりも小さく形成しており、そして隅部に切込１８を形成しているため、電磁シールド材５ａの切欠部１７の外縁１９は金属筐体に沿って上方に曲がり、筒状となる。そこで、この筒状の外縁１９の部分を接着テープ（図示省略）で巻き上げ固定することにより、電磁シールド材５ａを金属筐体の外側に隙間なく敷設することができる。従って、その後、図１６に示すように電磁シールド材５ａとの間に重ね目地を形成するように天井カセット型空調機２ａの周囲に電磁シールド材５を敷設することにより、天井カセット型空調機２ａの部分においてシールド性能の低下する部分を生じないで天井部分に電磁シールド材５を敷設することができる。
【００３１】
次に図１７〜図２０は天井カセット型空調機２ａの部分において、電磁シールド材５を天井カセット型空調機２ａの上側から敷設する工事の流れを示すものである。
【００３２】
図１７は、この工事において、天井カセット型空調機２ａを覆うために準備した電磁シールド材５ｂであり、この電磁シールド材５ｂは（ａ）に示すように天井カセット型空調機２ａよりも十分な大きさの面積を有すると共に、上記吊ボルト３を通すための切込１８を形成している。この電磁シールド材５ｂにおいても、提供される幅が天井カセット型空調機２ａの幅よりも小さい場合には、（ｂ）に示すように重ね目地を形成するように２枚を重ねて必要な幅とすることができる。
【００３３】
この工事では、図１８に示すように、電磁シールド材５ｂは上方から天井カセット型空調機２ａを覆うものであるため、配管１６との間にシールド性能を低下させないための処理が必要である。そこでこの例では、配管１６の下側からあてがうための電磁シールド材５ｃを準備し、図１９（ａ）〜（ｃ）に示すように配管１６を電磁シールド材５ｂ，５ｃで挟んだ後、重なった電磁シールド材５ｂ，５ｃをホチキス等の止め具２０で固定する。次いで、図２０に示すように電磁シールド材５ｂ，５ｃとの間に重ね目地を形成するように天井カセット型空調機２ａの周囲に電磁シールド材５を敷設することにより、天井カセット型空調機２ａの部分においてシールド性能の低下する部分を生じないで天井部分に電磁シールド材５を敷設することができる。尚、吊ボルト３の部分における電磁シールド材の処理については後述する。
【００３４】
次に図２１〜図２４は換気ユニット２ｂのように下部に円筒状部２１を有する設備の部分において、電磁シールド材５を下部側から敷設する工事の流れを示すものである。
【００３５】
即ち、図２１は電磁シールド材を敷設する前の換気ユニット２ｂの部分を天井内から見た斜視図であり、図中符号２２はフレキシブルダクトである。そこでこの工事では、電磁シールド材５は、天井下地材１ａに敷設するものに加えて、図２２に示すように換気ユニット２ｂの平面形状よりも大きな電磁シールド材５ｄを準備し、これに円筒状部２１の平面形状よりも小さな切欠部２３を形成すると共に、放射状に複数の切込２４を形成する。
【００３６】
次いで図２３、図２４に示すように電磁シールド材５ｄを切欠部２３により円筒状部２１の外側に嵌合する。切欠部２３は円筒状部２１の平面形状よりも小さく形成しており、そして放射状に切込２４を形成しているため、電磁シールド材５ｄの切欠部２３の外縁２５は円筒状部２１に沿って下方に曲がり、筒状となる。そこで、この筒状の外縁２５の部分を、上述と同様に接着テープ３９で巻き上げ固定することにより、電磁シールド材５ｄを円筒状部２１の外側に隙間なく敷設することができる。図２３、図２４から分かるように、電磁シールド材５ｄはフレキシブルダクト２２よりも下方において換気ユニット２ｂの円筒状部２１に取り付けられているため、フレキシブルダクト２２の部分における電磁シールド材５ｄとの処理は不要である。従って、図２３、図２４に示すように、電磁シールド材５ｄとの間に重ね目地１０を形成するように換気ユニット２ｂの周囲に電磁シールド材５を敷設することにより、換気ユニット２ｂの部分においてシールド性能の低下する部分を生じないで天井部分に電磁シールド材５を敷設することができる。
【００３７】
次に図２５〜図２９は換気ユニット２ｂの部分において、電磁シールド材５を換気ユニット２ｂの上側から敷設する工事の流れを示すものである。
【００３８】
図２５はフレキシブルダクト２２を含めて換気ユニット２ｂの部分を覆うために準備した電磁シールド材であり、電磁シールド材は、（ａ）に示すように複数の切込２６を形成した帯状の電磁シールド材５ｅと、（ｂ）に示すように輪の一部を切り欠いたリング状の電磁シールド材５ｆと、換気ユニット２ｂの平面形状よりも大きな電磁シールド材５ｇとから成り、電磁シールド材５ｇには吊ボルト３を通すための切込２７ａと、フレキシブルダクト２２を通すための切込２７ｂを形成している。
【００３９】
以上の構成において図２６に示すように、まず電磁シールド材５ｅをフレキシブルダクト２２の外周に巻き、接着テープ等（図示省略）で固定すると共に、切込２６側の部分を放射状に起立させる。
【００４０】
次いで図２７に示すように電磁シールド材５ｇを換気ユニット２ｂの全体に覆った後、図２８に示すように切込２７ｂの部分をフレキシブルダクト２２に嵌めた状態において、外側に電磁シールド材５ｆを位置させて、電磁シールド材５ｆと５ｅにより電磁シールド材５ｇを挟むように重ね、次いで図２９に示すように重ねられた部分を摘んで、膨出した部分をホチキス等の止め具２８により固定する。
【００４１】
次いで、上述と同様に電磁シールド材５ｇとの間に重ね目地を形成するように換気ユニット２ｂの周囲に電磁シールド材５を敷設することにより、換気ユニット２ｂの部分においてシールド性能の低下する部分を生じないで天井部分に電磁シールド材５を敷設することができる。尚、吊ボルト３の部分における電磁シールド材の処理については後述する。
【００４２】
次に吊ボルト３の部分における電磁シールド材５の処理につき説明する。
まず図３０は、内装仕上材以降の工程で配置される設備機器の一つとして、照明器具７ａの部分において電磁シールド材５を敷設する前の状態を示すもので、この照明器具７ａは２本の吊ボルト３で支持されると共に配線４に接続されるものである。
【００４３】
そのため電磁シールド材５には、図３０に示すように、２本の吊ボルト３と配線４に対応した個所にカッター等により、切込２９、この場合は十字状の切込２９を形成する。次いで図３２に示すように、これらの切込２９に２本の吊ボルト３と配線４を通した後、例えば図３３の（ａ）では電磁シールド材５の切込２９部分を上側に纏め、これに接着テープ３０や結束線等を巻き付けて吊ボルト３に固定する。配線４についても同様に電磁シールド材５を固定する。
【００４４】
一方、図３３の（ｂ）では電磁シールド材５の切込２８部分を下側に纏め、これに接着テープ３０を巻き付けて吊ボルト３（配線４も同様）に固定する。このようにして、図３４に示すように、吊ボルト３や配線４部分においてシールド性能の低下する部分を生じないで天井部分に電磁シールド材５を敷設することができる。
【００４５】
以上の処理では、天井下地材１ａに敷設する電磁シールド材５に直接に切込２９を形成し、これに吊ボルト３と配線４を通して固定しているが、他の処理方法を次に説明する。
【００４６】
即ち、図３５は、他の処理方法を行うために準備した一辺３０〜４０ｃｍ程度の大きさの電磁シールド材５ｈ，５ｉであり、（ａ）では中央に十字状の切込３１を形成し、（ｂ）では一辺から中央側に直線状の切込３２を形成している。
【００４７】
このような電磁シールド材５ｈ（５ｉ）を、図３６に示すように予め吊ボルト３（又は配線４）に、接着テープ３３や結束線等により固定しておき、天井下地材１ａに電磁シールド材５を敷設する際、図３７に示すように電磁シールド材５に電磁シールド材５ｈ（５ｉ）を重ね、上述と同様に重なった部分を摘んでホチキス等の止め具３４で固定することにより、一体化して吊ボルト３（又は配線４）部分においてシールド性能の低下する部分を生じないで天井部分に電磁シールド材５を敷設することができる。
【００４８】
次に、設備ボックス８ａの部分における電磁シールド材５の敷設例の詳細を説明する。尚、この敷設例においては、設備ボックス８ａは金属製とする。
図３８、図３９は夫々図５、図６の要部を拡大した図であり、このように軽量鉄骨組１ｂ上に可撓性を有する電磁シールド材５を敷設してシールド層を形成する際、電磁シールド材５は、設備ボックス８ａを覆って敷設する。
【００４９】
次いで図４０に示すように設備ボックス８ａの開口部に対応して十字状の切込３５を形成し、図４１に示すように切込片３６を設備ボックス８ａ内に折り込む。この状態において図４２に示すように壁仕上ボード６ｂを取り付けた後、図４３に示すように、コンセント１１ａやスイッチ１１ｂ等の配線器具１１を配線配管８ｂからの配線４に接続して設備ボックス８ａに取り付け、次いでプレート１１ｃを取り付けて壁部分の電磁シールド工事を完了する。
【００５０】
次に、上述とは異なり、非金属製の設備ボックス８ａの部分における電磁シールド材５の敷設例の詳細を説明する。
即ち、図４４は、設備ボックス８ａの正面形状よりも大きく、例えば一辺３０〜４０ｃｍ程度の大きさの電磁シールド材５ｊであり、これを図４５に示すように正面側から設備ボックス８ａに当接し、中央部を設備ボックス８ａ内に押し込んで凹ませる。
【００５１】
次いで、図４６に示すように電磁シールド材５ｊに電磁シールド材５を重ねて、設備ボックス８ａの対応部分を、押し込んで凹ませる。そして図４７に示すように電磁シールド材５ｊ、５に切込４０を形成し、この切込４０を介して図４７に示すように配線４を引き出し、電磁シールド材５の切込４０部分を下側に纏めて、これに接着テープ３０や結束線等を巻き付けて配線４に固定する。この作業と相前後して図４７、図４８に示すように壁仕上ボード６ｂを取り付けた後、図４８に示すように、コンセント１１ａやスイッチ１１ｂ等の配線器具１１を配線配管８ｂからの配線４に接続して設備ボックス８ａに取り付け、次いでプレート１１ｃを取り付けて壁部分の電磁シールド工事を完了する。尚、この際、電気の接点は、配線４と接続後に絶縁テープ等で保護して、電磁シールド材５との接触を防止する。
【００５２】
次にＯＡ床の支持脚１２の部分における電磁シールド材５の敷設の詳細を具体例につき説明する。
図４９は図９の要部を示すものであり、即ち、床スラブ９上に縦横に列設されている支持脚１２の列に沿って、複数の電磁シールド材５を所定幅の重ね目地１０を形成しながら重ね合わせて敷設した状態を示すものである。
【００５３】
敷設した電磁シールド材５は、図５０に示すように支持脚１２の所定の長さの部分に巻き付け、巻き付けた部分を接着テープ３７や結束線等で固定することにより、支持脚１２の周囲に電磁シールド材５が筒状に巻き付いた状態を形成する。この筒状部の長さはシールド性能に影響を与えるものであり、例えば支持脚１２の直径をｄ、筒状部の長さをｌとすると、ｌ＞４ｄ程度とすることで、十分なシールド性能を確保することができる。尚、この筒状部の長さと、巻き付けた対象物の径との関係は、上記吊ボルト３、配線４、配管１６、フレキシブルダクト２２等にも適用できるものである。また筒状部を維持するための接着テープ３７等は、シールド性能とは無関係なので、固定力や耐久性等から選定することができる。
【００５４】
図５１〜図５３はＯＡ床の支持脚１２の部分における電磁シールド材５の敷設における処理の他例を示すものである。この処理方法では、上述した吊ボルト３や配線４の場合と同様に、一辺３０〜４０ｃｍ程度の大きさ電磁シールド材５ｋを準備し、端縁から中央部方向に切込３８を形成する。図５２に示すように、この電磁シールド材５ｋを支持脚１２の所定の長さの部分に巻き付け、巻き付けた部分を接着テープ３７や結束線等で固定しておく。
【００５５】
この状態において、図４９と同様に床スラブ９上に縦横に列設されている支持脚１２の列に沿って、複数の電磁シールド材５を、所定幅の重ね目地１０を形成しながら重ね合わせて敷設することにより、図５３に示すように、床部分の電磁シールドを構築することができる。
【００５６】
尚、以上に説明した電磁シールド材の敷設において、重なり合った隣接の電磁シールド材５の重なり部においては、例えば図５４、図５５の（ａ）に示すように、適宜の重ね代で重ねた隣接の電磁シールド材５をホチキス等の止め具４１ａを用いて仮止めした後、（ｂ）に示すようにはぜ折りにしてホチキス等の止め具４１ｂを用いて固定する等の接合処理を行うことにより、シールド性能を低下させずに敷設を行うことができる。
【産業上の利用可能性】
【００５７】
本発明は上述したような数々の効果を奏するものであり、既存の建物について、いわゆるリニューアルの電磁シールド工事を行う際に適用できる他、新築の場合にも適用でき、利用可能性が非常に高いものである。
【図面の簡単な説明】
【００５８】
【図１】本発明の工法を適用した天井部分の電磁シールド工事の流れの一例を示す説明図である。
【図２】本発明の工法を適用した天井部分の電磁シールド工事の流れの一例を他の局面で示す説明図である。
【図３】本発明の工法を適用した天井部分の電磁シールド工事の流れの一例を更に他の局面で示す説明図である。
【図４】本発明の工法を適用した天井部分の電磁シールド工事の流れの他例を示す説明図である。
【図５】本発明の工法を適用した壁部分の電磁シールド工事の流れの一例を示す説明図である。
【図６】本発明の工法を適用した壁部分の電磁シールド工事の流れの一例を他の局面で示す説明図である。
【図７】本発明の工法を適用した壁部分の電磁シールド工事の流れの一例を更に他の局面で示す説明図である。
【図８】本発明の工法を適用した床部分の電磁シールド工事の流れの一例を示す説明図である。
【図９】本発明の工法を適用した床部分の電磁シールド工事の流れの一例を他の局面で示す説明図である。
【図１０】本発明の工法を適用した床部分の電磁シールド工事の流れの他例を示す説明図である。
【図１１】本発明の工法を適用した床部分の電磁シールド工事の流れの他例を他の局面で示す説明図である。
【図１２】本発明の工法を適用した床部分の電磁シールド工事の流れの更に他例を示す説明図である。
【図１３】本発明の工法を適用した天井部分の天井カセット型空調機の部分の電磁シールド工事の直前の状態を示す説明図である。
【図１４】天井カセット型空調機の部分の電磁シールド工事に用いる電磁シールド材の例を示す説明図である。
【図１５】本発明の工法を適用した天井部分の天井カセット型空調機の部分の電磁シールド工事の流れの一例を示す説明図である。
【図１６】本発明の工法を適用した天井部分の天井カセット型空調機の部分の電磁シールド工事の流れの一例を他の局面で示す説明図である。
【図１７】本発明の工法を適用した天井部分の天井カセット型空調機の部分の電磁シールド工事に用いる電磁シールド材の他例を示す説明図である。
【図１８】本発明の工法を適用した天井部分の天井カセット型空調機の部分の電磁シールド工事の流れの他例を示す説明図である。
【図１９】本発明の工法を適用した天井部分の天井カセット型空調機の部分の電磁シールド工事の流れの他例を他の局面で示す説明図である。
【図２０】本発明の工法を適用した天井部分の天井カセット型空調機の部分の電磁シールド工事の流れの他例を更に他の局面で示す説明図である。
【図２１】本発明の工法を適用した天井部分の換気ユニットの部分の電磁シールド工事の直前の状態を示す説明図である。
【図２２】換気ユニットの部分の電磁シールド工事に用いる電磁シールド材の一例を示す説明図である。
【図２３】本発明の工法を適用した天井部分の換気ユニットの部分の電磁シールド工事の流れの一例を示す説明図である。
【図２４】本発明の工法を適用した天井部分の換気ユニットの部分の電磁シールド工事の流れの一例を示す他の説明図である。
【図２５】換気ユニットの部分の電磁シールド工事に用いる電磁シールド材の他例を示す説明図である。
【図２６】本発明の工法を適用した天井部分の換気ユニットの部分の電磁シールド工事の流れの他例を示す説明図である。
【図２７】本発明の工法を適用した天井部分の換気ユニットの部分の電磁シールド工事の流れの他例を他の局面で示す説明図である。
【図２８】本発明の工法を適用した天井部分の換気ユニットの部分の電磁シールド工事の流れの他例を更に他の局面で示す説明図である。
【図２９】本発明の工法を適用した天井部分の換気ユニットの部分の電磁シールド工事の要部を示す説明図である。
【図３０】本発明の工法を適用した天井部分の吊ボルトの部分の電磁シールド工事の直前の状態を示す説明図である。
【図３１】吊ボルトの部分の電磁シールド工事に用いる際の電磁シールド材の処理の一例を示す説明図である。
【図３２】本発明の工法を適用した天井部分の吊ボルトの部分の電磁シールド工事の流れの一例を示す説明図である。
【図３３】本発明の工法を適用した天井部分の吊ボルトの部分の電磁シールド工事の要部を示す説明図である。
【図３４】本発明の工法を適用した天井部分の吊ボルトの部分の電磁シールド工事の流れの一例を他の局面で示す説明図である。
【図３５】吊ボルトの部分の電磁シールド工事に用いる電磁シールド材の例を示す説明図である。
【図３６】本発明の工法を適用した天井部分の吊ボルトの部分の電磁シールド工事の流れの他例を要部において示す説明図である。
【図３７】本発明の工法を適用した天井部分の吊ボルトの部分の電磁シールド工事の流れの他例を要部において他の局面で示す説明図である。
【図３８】本発明の工法を適用した壁部分の設備ボックスの部分における電磁シールド材５の敷設の直前の状態を要部において示す説明図である。
【図３９】本発明の工法を適用した壁部分の設備ボックスの部分における電磁シールド材５の敷設の流れの一例を要部において示す説明図である。
【図４０】本発明の工法を適用した壁部分の設備ボックスの部分における電磁シールド材５の敷設の流れの一例を要部において他の局面で示す説明図である。
【図４１】本発明の工法を適用した壁部分の設備ボックスの部分における電磁シールド材５の敷設の流れの一例を要部において更に他の局面で示す説明図である。
【図４２】本発明の工法を適用した壁部分の設備ボックスの部分における電磁シールド材５の敷設の流れの一例を要部において更に他の局面で示す説明図である。
【図４３】本発明の工法を適用した壁部分の設備ボックスの部分における電磁シールド材５の敷設の流れの一例を要部において更に他の局面で示す説明図である。
【図４４】本発明の工法を適用した壁部分の設備ボックスの部分における電磁シールド材５の敷設の流れの他例を要部において示す説明図である。
【図４５】本発明の工法を適用した壁部分の設備ボックスの部分における電磁シールド材５の敷設の流れの他例を要部において他の局面で示す説明図である。
【図４６】本発明の工法を適用した壁部分の設備ボックスの部分における電磁シールド材５の敷設の流れの他例を要部において更に他の局面で示す説明図である。
【図４７】本発明の工法を適用した壁部分の設備ボックスの部分における電磁シールド材５の敷設の流れの他例を要部において更に他の局面で示す説明図である。
【図４８】本発明の工法を適用した壁部分の設備ボックスの部分における電磁シールド材５の敷設の流れの一例を要部において更に他の局面で示す説明図である。
【図４９】本発明の工法を適用した床部分における電磁シールド材の敷設の流れの一例を示す説明図である。
【図５０】本発明の工法を適用した床部分における電磁シールド材の敷設の流れの一例を要部において示す説明図である。
【図５１】床部分の電磁シールド工事に用いる電磁シールド材の一例を示す説明図である。
【図５２】本発明の工法を適用した床部分における電磁シールド材５の敷設の流れの他例を要部において示す説明図である。
【図５３】本発明の工法を適用した床部分における電磁シールド材５の敷設の流れの他例を要部において他の局面で示す説明図である。
【図５４】隣接の電磁シールド材の重なり部における結合処理の一例を示す説明図である。
【図５５】隣接の電磁シールド材の重なり部における結合処理の他例を示す説明図である。
【符号の説明】
【００５９】
１                仕上用下地
１ａ            天井下地材
１ｂ            軽量鉄骨組
２                天井内設備
２ａ            天井カセット型空調機
２ｂ            換気ユニット
３                吊ボルト
４                配線
５（５ａ〜５ｊ）  電磁シールド材
６                仕上ボード
６ａ            天井仕上ボード
６ｂ            壁仕上ボード
７                設備機器
７ａ            照明器具
７ｂ            換気口
７ｃ            感知器
８                壁埋込設備
８ａ            設備ボックス
８ｂ            配線配管
９                床スラブ
１０              重ね目地
１１              配線器具
１１ａ          コンセント
１１ｂ          スイッチ
１１ｃ          プレート
１２              支持脚
１３              導電性板体
１４              タイルカーペット
１５              巾木
１６              配管
１７、２３        切欠部
１８、２４、２６、２７      切込
１９、２５        外縁
２０、２８、３４  止め具
２１              円筒状部
２２              フレキシブルダクト
２９、３１、３２、３８、４０      切込
３０、３３、３７、３９      接着テープ
３５              切込
３６              切込片
４１ａ，４１ｂ    止め具
【図１】
0005424292.tif 000002
【図２】
0005424292.tif 000003
【図３】
0005424292.tif 000004
【図４】
0005424292.tif 000005
【図５】
0005424292.tif 000006
【図６】
0005424292.tif 000007
【図７】
0005424292.tif 000008
【図８】
0005424292.tif 000009
【図９】
0005424292.tif 000010
【図１０】
0005424292.tif 000011
【図１１】
0005424292.tif 000012
【図１２】
0005424292.tif 000013
【図１３】
0005424292.tif 000014
【図１４】
0005424292.tif 000015
【図１５】
0005424292.tif 000016
【図１６】
0005424292.tif 000017
【図１７】
0005424292.tif 000018
【図１８】
0005424292.tif 000019
【図１９】
0005424292.tif 000020
【図２０】
0005424292.tif 000021
【図２１】
0005424292.tif 000022
【図２２】
0005424292.tif 000023
【図２３】
0005424292.tif 000024
【図２４】
0005424292.tif 000025
【図２５】
0005424292.tif 000026
【図２６】
0005424292.tif 000027
【図２７】
0005424292.tif 000028
【図２８】
0005424292.tif 000029
【図２９】
0005424292.tif 000030
【図３０】
0005424292.tif 000031
【図３１】
0005424292.tif 000032
【図３２】
0005424292.tif 000033
【図３３】
0005424292.tif 000034
【図３４】
0005424292.tif 000035
【図３５】
0005424292.tif 000036
【図３６】
0005424292.tif 000037
【図３７】
0005424292.tif 000038
【図３８】
0005424292.tif 000039
【図３９】
0005424292.tif 000040
【図４０】
0005424292.tif 000041
【図４１】
0005424292.tif 000042
【図４２】
0005424292.tif 000043
【図４３】
0005424292.tif 000044
【図４４】
0005424292.tif 000045
【図４５】
0005424292.tif 000046
【図４６】
0005424292.tif 000047
【図４７】
0005424292.tif 000048
【図４８】
0005424292.tif 000049
【図４９】
0005424292.tif 000050
【図５０】
0005424292.tif 000051
【図５１】
0005424292.tif 000052
【図５２】
0005424292.tif 000053
【図５３】
0005424292.tif 000054
【図５４】
0005424292.tif 000055
【図５５】
0005424292.tif 000056